(57)【要約】【課題】より強いインパクトを顧客に与え、企業コンセプトを顧客に的確に伝えることが可能な装置・システムを実現することである。【解決手段】空間演出装置１０は、およそ直方体をなしており、４枚の壁体１２と、屋根体１４とから構成されている。４枚の壁体１２の表面・裏面は、正方形を４５度かたむけたものの窓領域１６に分割されている。空間演出装置１０は、この窓領域１６に、ガラス面（光透過面）や、ミラー面で構成し、あたかも万華鏡に類似する造形美を見る者に与えている。したがって、よりインパクトの高い演出効果を得ることができる。【選択図】図１
2008216675.tif 000002
【特許請求の範囲】
【請求項１】
空間を囲む複数の壁体を含み、
前記各壁体の表面及び裏面は、複数の窓領域に分割され、
一部の前記窓領域は、ミラー面であり、
さらに他の一部の前記窓領域は、光透過面であることを特徴とする空間演出装置。
【請求項２】
空間を囲む複数の壁体を含み、
前記各壁体の前記囲まれた空間から見える側の面は、複数の窓領域に分割され、
一部の前記窓領域は、ミラー面であり、
さらに他の一部の前記窓領域は、光透過面であることを特徴とする空間演出装置。
【請求項３】
請求項１又は２記載の空間演出装置において、
さらに他の一部の前記窓領域は、ハーフミラー面であることを特徴とする空間演出装置。
【請求項４】
請求項３記載の空間演出装置において、
前記ハーフミラー面である前記窓領域は、
その光透過率が異なる窓領域を含んでいることを特徴とする空間演出装置。
【請求項５】
請求項１〜４のいずれか１項に記載の空間演出装置において、
前記壁体は４枚であり、前記壁体は互いに直角に連結し、平面上を長方形状に囲んでいることを特徴とする空間演出装置。
【請求項６】
請求項１〜５のいずれか１項に記載の空間演出装置において、
前記壁体の上部に設けられた屋根体、
を備え、前記壁体及び前記屋根体によって、空間を直方体状に囲んでいることを特徴とする空間演出装置。
【請求項７】
請求項１〜６のいずれか１項に記載の空間演出装置において、
前記壁体には、開口が設けられていることを特徴とする空間演出装置。
【請求項８】
請求項７記載の空間演出装置において、
前記開口は、すくなくともその一辺が前記壁体の一辺と共通することを特徴とする空間演出装置。
【請求項９】
請求項１〜８のいずれか１項に記載の空間演出装置において、
前記窓領域は、正方形を４５度傾けたものであることを特徴とする空間演出装置。
【請求項１０】
請求項１〜９のいずれか１項に記載の空間演出装置において、
前記窓領域は、本空間演出装置の骨組みを利用して区分けされた領域であることを特徴とする空間演出装置。
【発明の詳細な説明】
【技術分野】
【０００１】
本発明は、空間演出装置に関する。
【背景技術】
【０００２】
従来から、芸術的なモニュメントの如きディスプレイがショールームの中に設置されたり、モデルやタレントなどのショーをステージ上で行うなどのイベントによって企業イメージを伝えることなども広く行われきた。
【０００３】
顧客により強いインパクトを与え、企業の理念を強力にアピールするために、より過激な映像や音響設備を利用することも広く行われているが、ともすれば、顧客側にとっては煩わしくうるさいものと受け取られてしまう場合もあった。
【０００４】
先行文献
例えば、下記特許文献１には、透明な床の下にスクリーンを設け、底に映像を映し出すことによって、顧客にインパクトを与える表示装置が開示されている。
【０００５】
また、下記特許文献２には、プロジェクターからの画像をスクリーンに映し出すと共にその一部を拡散させることによって間接照明としての役割を果たさせた空間演出照明装置が開示されている。
【０００６】
また、下記特許文献３には、鏡を用いて展示効果を向上させた展示装置が開示されている。
【０００７】
【特許文献１】特開２０００−１２２１７５号公報
【特許文献２】特開２００７−０２５３５５号公報
【特許文献３】特開平１１−２０２８２０号公報
【発明の開示】
【発明が解決しようとする課題】
【０００８】
そこで、空間を主体に、より強いインパクトと企業からのメッセージを的確に顧客に伝えることが可能な装置・システムが望まれている。
【０００９】
本発明は、係る事情に鑑みなされたものであり、その目的は、空間を主体にして、より強いインパクトを顧客に与え、企業コンセプトを顧客に的確に伝えることが可能な装置・システムを実現することである。
【課題を解決するための手段】
【００１０】
（１）本発明は、上記課題を解決するために、空間を囲む複数の壁体を含み、前記各壁体の表面及び裏面は、複数の窓領域に分割され、一部の前記窓領域は、ミラー面であり、さらに他の一部の前記窓領域は、光透過面であることを特徴とする空間演出装置である。
【００１１】
（２）また、本発明は、空間を囲む複数の壁体を含み、前記各壁体の前記囲まれた空間から見える側の面は、複数の窓領域に分割され、一部の前記窓領域は、ミラー面であり、さらに他の一部の前記窓領域は、光透過面であることを特徴とする空間演出装置である。
【００１２】
（３）また、本発明は、上記（１）又は（２）記載の空間演出装置において、さらに他の一部の前記窓領域は、ハーフミラー面であることを特徴とする空間演出装置である。
【００１３】
（４）また、本発明は、上記（３）記載の空間演出装置において、前記ハーフミラー面である前記窓領域は、その光透過率が異なる窓領域を含んでいることを特徴とする空間演出装置である。
【００１４】
（５）また、本発明は、上記（１）〜（４）のいずれか１項に記載の空間演出装置において、前記壁体は４枚であり、前記壁体は互いに直角に連結し、平面上を長方形状に囲んでいることを特徴とする空間演出装置である。
【００１５】
（６）また、本発明は、上記（１）〜（５）のいずれか１項に記載の空間演出装置において、前記壁体の上部に設けられた屋根体、を備え、前記壁体及び前記屋根体によって、空間を直方体状に囲んでいることを特徴とする空間演出装置である。
【００１６】
（７）また、本発明は、上記（１）〜（６）のいずれか１項に記載の空間演出装置において、前記壁体には、開口が設けられていることを特徴とする空間演出装置である。
【００１７】
（８）また、本発明は、上記（１）〜（７）のいずれか１項に記載の空間演出装置において、前記開口は、すくなくともその一辺が前記壁体の一辺と共通することを特徴とする空間演出装置である。
【００１８】
（９）また、本発明は、上記（１）〜（８）のいずれか１項に記載の空間演出装置において、前記窓領域は、正方形を４５度傾けたものであることを特徴とする空間演出装置である。
【００１９】
（１０）また、本発明は、上記（１）〜（８）のいずれか１項に記載の空間演出装置において、前記窓領域は、本空間演出装置の骨組みを利用して区分けされた領域であることを特徴とする空間演出装置である。
【発明の効果】
【００２０】
以上述べたように、本発明によれば、ミラー等を含む窓領域を備えた壁体を用いて空間を囲んでいるので、よりインパクトの高い空間演出を行うことが可能である。
【発明を実施するための最良の形態】
【００２１】
以下、本発明の好適な実施の形態を図面に基づき説明する。
【００２２】
１．外観構成
図１には、本実施の形態にかかる空間演出装置１０の外観図が示されている。この図に示されているように、空間演出装置１０は、およそ直方体をなしており、４枚の壁体１２と、屋根体１４とから構成されている。この空間演出装置１０は、内部に人が入れる程度の大きさであればどのような大きさでもかまわない。
【００２３】
４枚の壁体１２の表面・裏面は、正方形を４５度かたむけたものの小領域に分割されている。この分割は、「視覚上」の分割であるが、この装置の骨組みを利用して行うのが好ましい。視覚上分割されていれば良いので、骨組みとは別の分割を行ってもかまわない。そして、この分割された各小領域を窓領域１６と呼ぶ。屋根体も同様に、骨組みによって窓領域１６に分割されている。
【００２４】
図２には、２枚の壁体１６と屋根体１４とを便宜上取り外して、内部の様子を示す説明図が示されている。これは説明のために、２枚の壁体１６と屋根体１４とを便宜上取り外したものであり、実際の空間演出装置１０は、もちろん図１の通りである。
【００２５】
２．窓領域の構成
本実施の形態において特徴的なことは、この窓領域に、ガラス面（光透過面）や、ミラー面で構成し、あたかも万華鏡に類似する造形美を見る者に与えていることである。
【００２６】
窓領域の構成は以下のような種類がある。
【００２７】
（１）ガラス面
要するに「素通し」の透明ガラスで構成する。このガラス面の窓領域１６ａを通して、外部からは中が見え、内部からは外部が見える。このガラス面は、請求の範囲の光透過面の好適な一例である。
【００２８】
（２）ミラー面
ミラー面を設けた窓領域１６ｂは、光を反射する。したがって、空間演出装置１０の外部からは、空間演出装置１０が設置されている箇所の映像が写され、空間演出装置１０の内部からは、空間演出装置１０の内部の様子が写し出される。内部に商品が展示されている場合は、その商品が写し出される。
【００２９】
特に、本実施の形態では、壁体１２が平行に向かい合っているので、空間演出装置１０の内部では、いわゆる合わせ鏡の原理で、内部のものの画像の反射が連続して生じ、空間が無限に続く（内部の商品の画像が半永久的に連続して見える）かのような視覚的効果が得られる。
【００３０】
（３）ハーフミラー面
ハーフミラー面を設けた窓領域１６ｃは、光を一定の割合で反射するとともに、残りの光をそのまま通過させる。したがって、上述したガラス面としての機能と、ミラー面との機能の双方を実現することができ、より幻想的な空間を演出することが可能である。
【００３１】
空間演出装置１０の外部からは、このハーフミラー面の窓領域１６ｃを通じて、空間演出装置１０が設置されている箇所の映像が半分写されるとともに、内部の様子も見ることができ、渾然とした画像を演出することが可能である。また、同様に、空間演出装置１０の内部からも、空間演出装置１０の内部の様子が半分写し出されるとともに、内部の商品の画像も半分写し出される。さらに、上述したいわゆる合わせ鏡の原理によって画像の反射を連続して行わせ、その商品を無限に写している様子であって、さらに徐々にその画像が薄くなっていく様子などを幻想的で幽玄に表現することが可能である。
【００３２】
さらに、本実施の形態で特徴的なことは、数種類の透過率のハーフミラー面を用いていることである。例えば、場所によって、透過率を２０％、３０％、・・・のように「偏光することで、場所によって雰囲気を変えることができ、よりインパクトのある演出を行うことが可能である。
【００３３】
（４）通常壁
ガラス面でもなく、ミラー面でもなく、また、ハーフミラー面でもない通常の壁である窓領域１６ｄも備えられている。通常壁の窓領域１６ｄは、一般的な白い壁や、黒い壁等で構成される。
【００３４】
この通常壁の窓領域１６ｄは、説明文の設置や、壁に商品を展示する場合、等に利用される。
【００３５】
３．開口
さらに、図１に示すように、壁体１２の一部は開口１８が設けられている。この開口１８によって、外部と内部とが緩やかに融合し、閉じられていながらも、部分的に開かれた空間を演出している。
【００３６】
ここでは、開口１８はその下縁が壁体１６の下縁と一致している構成を示した。これは、人間や自動車などが出入りするのに都合が良いからであるが、壁体１６の中間部分に開口１８を設けることも好適である。その開口１８を介して所定の物品を外部から内部に突出させる等、より面白味のあるインパクトのある演出を行うことが可能である。
【００３７】
４．外と内
以上述べたように、本実施の形態では、窓領域１６の構成を、ガラス面や、ミラー面、ハーフミラー面などで構成したので、見る位置によって異なる視覚的効果が得られ、より面白味のあるインパクトのある演出を行うことが可能である。
【００３８】
また、本実施の形態では、壁体１６の外に向かう面の窓領域１６と、内部に面する面の窓領域とは、基本的に同種類の窓領域１６である。例えば、ガラス面の窓領域１６ａは、外面も内面も当然にガラス面である。また、ハーフミラー面の窓領域１６ｃは、原理的には、外面も内面も、当然にハーフミラー面の窓領域１６ｃである。
【００３９】
また、ミラー面の窓領域１６ｂは、基本的に、外面も内面もミラー面の窓領域１６ｂである。しかし、ミラー面の場合は、場合によっては、一方の面を通常壁の窓領域１６ｄとすることは可能である。
【００４０】
さらに、場合によっては、内面、すなわち囲んだ空間に向かう側だけにミラー面を設ける構成を採用してもかまわない。このように構成すれば、空間演出装置１０に入った際に人間が受けるインパクトをより強くすることができる場合もある。
【００４１】
５．その他
上述した実施の形態では、４枚の壁体１６と屋根体１８とを用いて、直方体状に空間を囲んでいるが、その他の形態に空間を囲むように構成することも好適である。例えば、６枚の壁体を用いて、空間を６角柱状に囲むことも好適である。また、ドーム状の屋根体を用いて丸天井状に空間を囲むことも好ましい。
【００４２】
ただし、演出的には、平行な面となる壁体１６を１組程度は用意することが好ましい。平行な面を構成する壁体１６を設けることによって、いわゆる合わせ鏡的な効果を生み出すことができるからである。
【００４３】
また、上述した実施の形態では、ガラス面、ミラー面、ハーフミラー面を用いているが、演出効果は多少落ちる可能性はあるものの、ガラス面とミラー面だけでもかまわない。同様に、ミラー面とハーフミラー面だけでも良い。また、同様に、ガラス面とハーフミラー面だけを用いて構成してもかまわない。さらに、通常壁の窓領域１６dを使用せずに構成してもかまわない。
【００４４】
さらに、上述した例では、窓領域１６として正方形を４５度かたむけたものの例を示したが、他の形状の窓領域でもかまわない。例えば、正方形や、三角形などを利用しても良い。また、五角形と六角形の窓領域を組み合わせてサッカーボール風に構成してもかまわない。
【００４５】
さらにまた、上述した例では、屋根体１４がある構成を説明したが、場合によってはなくてもかまわない。
【００４６】
６．万華鏡効果・空間体験装置
このような構成によって、いわゆる写り込む万華鏡の効果が得られる。この点が本発明において極めて重要な点である。
【００４７】
また、本発明は、空間体験装置であり、空間を体験することが可能である。
【図面の簡単な説明】
【００４８】
【図１】空間演出装置の外観図である。
【図２】空間演出装置から、２枚の壁体と１枚の屋根体とを除き、内部の様子を示した説明図である。
【符号の説明】
【００４９】
１０  空間演出装置
１２  壁体
１４  屋根体
１６  窓領域
１６ａ  ガラス面の窓領域
１６ｂ  ミラー面の窓領域
１６ｃ  ハーフミラー面の窓領域
１６ｄ  通常壁の窓領域
１８  開口
【図１】
2008216675.tif 000003
【図２】
2008216675.tif 000004